(57)【要約】      （修正有）【課題】構造簡単で防臭・防湿効果が有効に向上できるナノテク抗菌防臭保健靴を提供する。【解決手段】靴ソールと靴アッパーを有するナノテク防臭保健靴であり、前記の靴ソールにはナノテク抗菌複合材料で抗菌防臭層を形成する上ソールと、前記の上ソールの下側にあるＥＶＡ切片又はスポンジをナノテク抗菌複合材料で複合加工によって形成した中ソールと、前記の中ソールの下側にある下ソールとの三層を含む。前記の靴アッパーはアッパーの裏側とアッパーの表側を含み、アッパーの裏側はナノテク抗菌複合材料で作製し、アッパーの表側は裏側の外側にあり、下ソールと一体化になる。本考案のナノテク防臭保健靴は強力な抗菌防臭機能を持つだけでなく、細菌の侵入防止、微循環の調整、足部や全身の新陳代謝を促進することも出来る。【選択図】図１
0003103956.tif 000002
【実用新案登録請求の範囲】
【請求項１】
ナノテクノロジー技術を利用した抗菌防臭保健靴であって、靴ソールと靴アッパーを含み、前記の靴ソールにはナノテクの抗菌複合材料からなる抗菌防臭層を形成することを特徴とするナノテク抗菌防臭保健靴。
【請求項２】
請求項１において、
前記の靴ソールは
前記の靴ソールの上層にあって、ナノテク抗菌複合材料からなる上ソールと、
前記の上ソールの下側にあって、エラスチック材料を使った中ソールと、
前記の中ソールの下側にある下ソールとを含むことを特徴とするナノテク抗菌防臭保健靴。
【請求項３】
請求項２において、
前記の上ソールはレザー又は紡績生地をナノテクノロジー技術によって処理されたナノテク抗菌複合材料で作製することができることを特徴とするナノテク抗菌防臭保健靴。
【請求項４】
請求項２において、
前記の上ソールの面上又は背面、或は面上と背面ともにナノテク抗菌複合材料で形成した機能フイルムを張り付けることができることを特徴とするナノテク抗菌防臭保健靴。
【請求項５】
請求項２において
前記の中ソールはＥＶＡ切片によって形成されることを特徴とするナノテク抗菌防臭保健靴。
【請求項６】
請求項２において、
前記の中ソールはスポンジをナノテク抗菌複合材料で複合加工によって形成されることを特徴とするナノテク抗菌防臭保健靴。
【請求項７】
請求項１において、
靴アッパーはナノテク抗菌複合材料を介して形成された積層を含めることを特徴とするナノテク抗菌防臭保健靴。
【請求項８】
請求項７において、
前記靴アッパーは
前記靴あっぱーの裏にあって、ナノテク抗菌複合材料によって形成したアッパーの裏側と、アッパーの裏側の外側にあって、下ソールと一体化して形成する靴アッパーの表側とを含めることを特徴とするナノテク抗菌防臭保健靴。
【請求項９】
請求項7において、前記のアッパーの裏側はレザー又は紡績生地をナノテクノロジー処理されたナノテク抗菌複合材料で作製することができることを特徴とするナノテク抗菌防臭保健靴。
【請求項１０】
請求項７において
前記のアッパーの裏側の面上又は背面、或は面上と背面ともにナノテク材料で形成した機能フイルムを張り付けることを特徴とするナノテク抗菌防臭保健靴。
【考案の詳細な説明】
【技術分野】
【０００１】
本考案は靴に関し、特に、抗菌防臭保健靴に関する。
【背景技術】
【０００２】
技術的な進歩と社会の発展につれて、生活の質を高めることが要求される。衣類、靴、帽子などについて、保温性と美観に注目されるだけでなく、快適性をも要求される。とくに靴には人間の体の重要な部分とする足に係るから、ある意味から、沢山の神経ある足の健康は人間の全身の健康と繋っていると考えられる。
または，人間は靴を履き，一日間を経て、湿ったり、悪臭の発生し易いので足の健康には非常に悪いことである。そのために防臭防湿性を高めるためのいろいろな靴制品ができ、例えば、漢方薬に浸けた靴、磁気靴、香り靴、抗菌防臭靴などがある。
【０００３】
ところで、このような漢方薬に浸けた靴は洗浄又は足による磨耗によって薬が流失し易いことで、防臭効果が低下してしまう欠点がある。この問題点を解決するために、中国特許出願第２３７１８３４号公報には、薬の流失を防ぐために、靴アッパーの内側層と外側との間に又は靴ソールの上ソールと中ソールの間に防臭薬に浸けられたスボンジ層を敷く防臭保健靴が開示されている。この文献では、靴の薬の流失をある程度で抑制出来るものではあるが、薬の中にある有効成分が消耗し易いので効果を有する期間が短くなる問題点がある。さらに薬物の有効期間を延ばすため、薬物の含有量を濃くすることができるが、表面において有効成分が高過ぎると、足の不快適の原因となることもある。ひどくなると足のたこや足の潰ようなどができる場合がある。
【０００４】
また、靴のぺンチレーション防湿性能を高めるため、中国特許公開第２５８５５７１Ｙ号公報には 靴ソールにエアバルブを付けていて、さらに靴ソールの商標付の面、或は下ソール側に少なくとも一つのエアバック（AIR BAG）が入って、このエアバルブはエアバックに連接するように足の裏と、足の裏の外側と、踵の着力部に当る部分に取付けている。この実用新案において人間の歩く時の足の力を利用して歩いている時の右足と左足の交替着地により、人間の自体重量によって、靴中の空気と外気との交換を実現させる。しかしながら、本願の考案者によれば、これによって靴の防湿性が向上できるが、構造が複雑で製造が難しくなることで製造時間がかかることが確認されている。
【０００５】
要するに、構造が簡単なる防臭と防湿性の効果が向上できる保健靴を提供することが非常に望まれる。
【考案の開示】
【考案が解決しようとする課題】
【０００６】
本考案は以上のような技術的課題に鑑みてなされたものであり、その目的は構造簡単なる防臭防湿効果が有効的に向上できるナノテク抗菌防臭保健靴を提供することにある。
【課題を解決するための手段】
【０００７】
上記の課題を解決するため、下記の技術方案を採用できる。
本考案に係るナノテク抗菌防臭保健靴は、靴ソールと靴アッパー (靴のソール以外の部分)を有するナノテク抗菌防臭保健靴であって、前記の靴ソールは三層からなり、前記ソールの上層として、足と直接に接触して、ナノテクノロジー処理を施したレザー又は紡績生地からなるナノテク抗菌複合材料の利用、あるいはその面上又は背面或は面上と背面の同時にナノテク材料からなるフィルムを張り付ける上ソール（上底）と、前記の上ソールの下に敷き、弾性材、例えばＥＶＡ切片又はスポンジをナノテクノロジー加工した抗菌複合材料で複合加工によって形成した中ソール（中底）と、靴ソールの一番下にある下ソール（下底）を含む。
【０００８】
靴アッパーにはアッパー（甲）の裏側とアッパーの表側を含み、この裏側は足と直接接触するものとして、ナノテクノロジー処理されたレザー又は紡績生地から作製でき、あるいはその裏側の内面又は外面、或は内面と外面ともにナノテク材料からなる機能フィルムを張り付けることができる。アッパーの表側はアッパーの裏側の外部にあって、下ソールと一体化するものとする。
【０００９】
本考案は足と接触する靴ソールの上層面と、及び靴アッパーの裏層面にはそれぞれナノテクノロジー処理されたレザー又は紡績生地によって作製でき、あるいはその上にナノテク材料からなる機能フィルムを張り付けることもできる。
【００１０】
ナノテクノロジー技術は２０世紀８０年代から生み出されて急速に発展している。ナノテクノロジーは原子や分子を操作、制御して物質の構造や配列を変え、新しい機能や優れた特性を作り出す技術として益々重視されている。本考案においてナノテクノロジー技術を靴作り産業へ活用することによって脱吸臭、衝撃を減衰、並びに保健など多重効果が上がる。また、本考案は靴ソールの上層面と靴アッパーの裏側の内面にだけナノテクノロジー処理を施したレザー又は紡績生地を利用することができる。或は直接にナノテクノ材料で作った機能フイルムを張り付けることも出来る。それは構造が簡単で加工し易いためである。
【考案を実施するための最良の形態】
【００１１】
次に、本考案の好適な実施の形態について図面を参照して詳細に説明する。
なお、本実施形態に係る防臭保健靴の構造はスニーカ、運動靴に適応し、又はレザー靴など各種類の正装靴にも適応できる。
【００１２】
図１は本考案に係るナノテク抗菌防臭保健靴の構成を示す説明図である。図１に示すように、本実用新案に係るナノテク抗菌防臭保健靴は、靴ソール１０と靴アッパー２０を有するナノテク抗菌防臭保健靴であって、この靴ソール１０において上ソール１２と、中ソール１４と、下ソール１６を含み、上記の上ソール１２は前記の靴ソール１０の上面に敷き、足と直接接触するため、ナノテク抗菌複合材料から構成して、例えばナノテクノロジー処理を施したレザー又は紡績生地からなるナノテク抗菌複合材料で作製できるし、あるいは上ソールの構造を示す図２に示すように、上ソール１２の面上１２ａ又は背面１２ｂ或は面上と背面とともにナノテク材料からなる機能フィルムを張り付けることで制作することができる。
【００１３】
前記の中ソール１４は前記の上ソール１２の裏に敷き、ナノテク抗菌複材料で処理したＥＶＡ切片によって形成できる。このＥＶＡ（ethyl vinyl acetate）は多領域によく使われる材料であって、それを中ソール１４として使うことによって、軽くて快適な靴を造ることができ、または別な選択として、前記の中ソール１４はスボンジのナノテク抗菌複合材料を使って形成することができる。こうすることにより、靴の防臭と保健性能をさらにアップすることができる。
【００１４】
靴のソール１０の最下方にある下ソール１６が靴アッパー２０に縫製又は粘着などの方法で一体化する。
【００１５】
また本考案に係るナノテク防臭保健靴において靴アッパー２０にはアッパーの裏側２２とアッパーの表側２４を含み、そのアッパーの裏側２２は足と直接接触するから、レザー又は紡績生地をナノテクノロジー処理された抗菌複合材料で作製することができる。あるいは、別選択として、そのアッパーの裏側２２の内面２２ａ又はアッパーの裏側の外面２２ｂに、或は内面と外面の両方ともナノテク材料からなる機能フィルムを張り付けることもできる。その中には、靴アッパーの表側２４は靴アッパー２０の外層面を形成して、下ソール１６と一体化するものである。
【００１６】
また本考案によれば靴ソール１０において、上ソール１２と靴アッパーの裏側２２に対して浸軋法（浸け圧延法）或は塗装法のプロセスによってナノテク材料の加工を行なうことができる。
【００１７】
本考案に係るナノテク防臭保健靴によれば、靴と足の直接接触部にはそれぞれナノテク抗菌複合材料で作製した上ソール１２と靴アッパーの裏側２２を増設することによって、ナノテク材料で人間の汗と代謝物によって発生、繁殖された‘悪臭菌’などを消滅できるため、有効的に防臭することが可能となる。又、遠赤外線反射機能を以て、即ち人間の体から発生する熱量を吸収でき、さらに自体へ特定波長の遠赤外線の輻射によって、皮膚下の血液流量が増やせ、血液を良好に循環させることができる。
【００１８】
ついに、本考案に係るナノテク防臭保健靴は強力な抗菌防臭性能を持つだけでなく、細菌の侵入防止、人体の微循環の調整、足部や全身の新陳代謝の促進も出来るため、健康に好しいと言える。また、本考案によれば、抗菌防臭の製品寿命が長く維持され、効用が適切で衛生安全ならびに構造が簡単などのメッリトを持つ防臭保健靴を提供することができる。
【００１９】
そして、本考案のその他の実施例として、適用領域と価格などの要因によって上ソール１２だけで、或は靴アッパーの裏側２２だけでナノテク複合抗菌材料によって作製してもよい。そうすれば本考案の目的も実現でき、価格も割合に安くなることができる。
【００２０】
なお、本考案は以上の実施形態に限定されず、種々の変形実施が可能である。本考案の要旨の範囲内で何れの修正、改変、同等なものを用いる場合なども本考案の請求範囲に含まれる。
【図面の簡単な説明】
【００２１】
【図１】本考案に係るナノテク抗菌防臭保健靴の構成を示す説明図。
【図２】本考案に係る上ソールを示す説明図。
【符号の説明】
【００２２】
１０  靴ソール、
１２  上ソール、１２ａ  上ソールの面上、１２ｂ  上ソールの背面、
１４  中ソール、１６  下ソール、
２０  靴アッパー
２２  靴アッパーの裏側、２２ａ  靴アッパーの裏側の内面、２２ｂ  靴アッパーの裏側の外面
２４  靴アッパーの表側
【図１】
0003103956.tif 000003
【図２】
0003103956.tif 000004